(57)【要約】【課題】自動開閉式の便蓋倒伏タイミングを調節することが可能な便器用開閉装置を提供する。【解決手段】便器１上は便座ボックス３が設置され、この便座ボックス３内に便蓋６及び便座７の起立回動装置が設置されている。人体検知センサ５の検知信号に応じて便蓋６が自動的に開閉する。人が立去った後に便蓋６が倒伏するまでの待機時間がリモコン１２のスイッチ操作により調節可能となっている。【選択図】  図１
2004180737.tif 000002
【特許請求の範囲】
【請求項１】
起倒回動可能な便蓋と
該便蓋の回動用駆動装置と、
便器使用者を検知する検知手段と、
該検知手段が便器使用者の立去り検知後、待機時間が経過すると起立状態にあった便蓋を倒伏回動させる制御手段と、
を有する便器用開閉装置において、
該待機時間を長短調節可能としたことを特徴とする便器用開閉装置。
【請求項２】
請求項１において、便器電装品を操作するためのスイッチ盤を備えており、該スイッチ盤のスイッチ操作により前記待機時間の長短が調節されることを特徴とする便器用開閉装置。
【請求項３】
請求項１において、前記便蓋がケースに支持されており、
該ケースに、前記待機時間を長短調節するための調節スイッチが設けられていることを特徴とする便器用開閉装置。
【請求項４】
請求項１ないし３のいずれか１項において、便座の回動用駆動装置が設けられており、前記制御手段は、便蓋と共に便座を倒伏回動させることを特徴とする便器用開閉装置。
【請求項５】
請求項１ないし４のいずれか１項において、前記検知手段が便器使用者を検知すると便蓋が起立回動するよう構成されており、且つ該便器使用者を検知してから便蓋起立回動までの待機時間が長短調節可能となっていることを特徴とする便器用開閉装置。
【発明の詳細な説明】
【０００１】
【発明の属する技術分野】
本発明は便器用開閉装置に係り、特に便器使用者が立去ると自動的に便蓋あるいはさらに便座が倒伏回動するよう構成された便器用開閉装置に関する。
【０００２】
【従来の技術】
従来、便座・便蓋開閉装置としては、便座及び便蓋を開閉駆動する駆動モータと、駆動モータを駆動させて前記便座及び便蓋を開閉制御する制御手段とを備えたものが広く用いられている。従来の便座・便蓋開閉装置にあっては、便座及び便蓋は便器メーカの設定したタイミングで開閉される。特開平７−７９８８４号公報には、この便蓋、便座の起倒回動速度を使用者が遅速調節できるよう構成した便蓋・便座制御装置が記載されている。
【０００３】
【特許文献１】
特開平７−７９８８４号公報
【０００４】
【発明が解決しようとする課題】
従来の便器用開閉装置にあっては、便器使用者の立去りが検知されてから便蓋や便座が倒伏回動を開始するまでの待機時間は、メーカが設定した通りとなっている。
【０００５】
本発明は、この待機時間を便器使用者の嗜好に応じて長短調節することができる便器用開閉装置を提供することを目的とする。
【０００６】
【課題を解決するための手段】
本発明の便器用開閉装置は、起倒回動可能な便蓋と該便蓋の回動用駆動装置と、便器使用者を検知する検知手段と、該検知手段が便器使用者の立去り検知後、待機時間が経過すると起立状態にあった便蓋を倒伏回動させる制御手段と、を有する便器用開閉装置において、該待機時間を長短調節可能としたことを特徴とするものである。
【０００７】
かかる便器用開閉装置にあっては、便器使用者が便器から検知手段の検知範囲外にまで離れると、それから待機時間経過後に便蓋が倒伏する。この待機時間を長短調節することができるので、待機時間を短くすることにより便蓋が閉まることを目視確認したり、あるいは暖房便座の場合、便座からの放熱を少なくすることが可能となる。また、便器使用頻度が高い場合には待機時間を長くすることにより、便蓋が頻繁に開閉して耐久年数が短くなってしまうことを防止することができる。
【０００８】
本発明では、便器電装品を操作するためのスイッチ盤を備えており、該スイッチ盤のスイッチ操作により前記待機時間の長短が調節されるよう構成してもよい。この場合、例えば、リモコンや便座ボックスなどに配置されたスイッチ群のうち特定のものを同時に又は特定の順番にて押すことにより待機時間が長短調節されるよう構成してもよい。このようにすれば、リモコン等に長短調節専用のスイッチを設けることが不要となる。
【０００９】
本発明では、便蓋が便座やロータンクカバー等のケースに支持されている場合、このケース内に待機時間調節スイッチを設けてもよい。この場合、待機時間の調節は主としてメンテナンス会社等の専門業者が行うことになる。この構成によると、公共的なトイレに設置された場合に悪戯を受けて待機時間が変わることが防止される。
【００１０】
本発明では、便蓋と共に便座も倒伏回動するよう構成されることが好ましい。
【００１１】
本発明では、便蓋の倒伏回動時の待機時間だけでなく、便器使用者を検知してから便蓋が起立するまでの待機時間も長短調節可能としてもよい。
【００１２】
【発明の実施の形態】
以下、図面を参照して実施の形態について説明する。図１は実施の形態に係る便器用開閉装置を備えたトイレルーム内の斜視図、図２はこの便器用開閉装置の制御ブロック図である。
【００１３】
洋風便器１の後部上面にロータンク２が設置され、このロータンク２の前面側に便座ボックス３が設置されている。この便座ボックス３は、洋風便器１の側方に張り出す張出部３ａを有し、この張出部３ａの上面にスイッチパネル（銘板）４が設けられている。また、この張出部３ａには人体検知センサ５が設けられている。ただし、人体検知センサ５は他の部位に設けられてもよい。また、この張出部３ａは省略されてもよい。
【００１４】
便座ボックス３には、人体臀部の洗浄ノズル、臀部の温風乾燥ファン（図示略）等が設けられている。この便座ボックス３には、便蓋６及び便座７が上下方向に回動可能に取り付けられている。この便座ボックス３内には、便蓋６をモータによって回動させる便蓋回動装置８（図２）と、便座７をモータによって回動させる便座回動装置９（図２）と、これらの回動装置８，９の制御回路１０（図２）等が設置されている。
【００１５】
この洋風便器１の側方のトイレルーム壁面にリモコン１２が設置されている。このリモコン１２の前面には、肛門洗浄用操作スイッチ（おしりスイッチ）、ビデ洗浄用操作スイッチ、温風を吹き出させるドライスイッチ、洗浄、温風乾燥等の作動をストップさせる止スイッチ等のスイッチ１３が設けられている。また、リモコン１２の上面には、便蓋６を開閉させるための便蓋スイッチ１４と、便座７を開閉させるための便座スイッチ１５とが設けられている。この便蓋スイッチ１４は、これを１回押す度に便蓋６の起立・倒伏が切替えられる。即ち、起立していた便蓋６は倒伏し、逆に倒伏していた便蓋６は起立する。便座スイッチ１５も、これを、１回押す度に起立・倒伏が切替えられる。
【００１６】
人体検知センサ５、便蓋スイッチ１４、便座スイッチ１５からの信号は、制御回路１０に入力され、制御回路１０から便蓋回動装置８及び便座回動装置９に作動信号が出力される。
【００１７】
なお、この実施の形態では、リモコン１２のスイッチ１３のうち特定の３個の信号が制御回路１０に入力されている。この特定の３個のスイッチを特定の順番で続けて押すと、制御回路１０に設定されている便蓋倒伏待機時間が３０秒長くなり、該３個のスイッチ１３を別の特定の順番で続けて押すと、制御回路１０に設定されている便蓋倒伏待機時間が３０秒短くなる。なお、この待機時間は０〜１０分の間で３０秒刻みで調節可能となっている。ただし、上限の１０分は５分、７分など１０分より短いものであってもよく、また逆に１０分より長い時間であってもよい。下限は０分ではなく、３０秒、１分、２分などであってもよい。また、調節刻み幅は３０秒に限られるものではなく、１０秒、２０秒など３０秒より短いものであってもよく、４０秒、６０秒など３０秒より長いものであってもよい。
【００１８】
なお、便座ボックス３又は便座７には、赤外線式センサ、荷重センサ、誘電率変化型センサなどよりなる着座センサ１６が設けられており、この着座センサ１６の検知信号も制御回路１０に入力されている。
【００１９】
このように構成された便器用開閉装置においては、トイレルーム内に人が入室し、この人が人体検知センサ５の検知領域に入ると、便蓋６が自動的に起立する。この場合、便座７は倒伏したままであるので、この人は倒伏した便座７に座って便器１を使用することができる。便器１を男子立小便に使用するときには、この人は便座スイッチ１５を押して便座７を起立させる。便座７を起立させたが、気が変り、便座７を倒伏させようとするときには、もう１回便座スイッチ１５を押せばよい。
【００２０】
この人が、その後、この便器１から離れ、人体検知センサ５の検知領域外に出ると、待機時間経過後に便蓋６が倒伏する。なお、便座７が起立状態とされていた場合には、便蓋６の倒伏時に便座７も併せて倒伏回動される。
【００２１】
前記の通り、リモコン１２の特定の３個のスイッチ１３を特定の順番で続けて押すことにより、この待機時間を長短調節することができる。
【００２２】
なお、便器１の近くに立っている人が便蓋スイッチ１４を押すと、起立していた便蓋６が倒伏し、もう１回便蓋スイッチ１４を押すと便蓋６が起立する。ただし、人が便座７に座っているときには、この便蓋スイッチ１４の信号が制御回路１０に入力されても、制御回路１０は便蓋６を倒伏させない。このように手動式の便蓋スイッチ１４によって便蓋６を倒伏させた場合、その後人が人体検知センサ５の検知領域外に出たときには制御回路１０は便蓋６を倒伏状態のままとする。
【００２３】
上記実施の形態では、人が人体検知センサ５の検知領域に入ると直ちに便蓋６が起立回動するよう構成しているが、人体検知センサ５が人を検知してから所定の待機時間が経過してから便蓋６が起立するよう構成してもよい。この場合も、この待機時間をリモコン１２の特定の複数個のスイッチの操作によって長短調節できるようにしてもよい。
【００２４】
上記実施の形態ではリモコン１２のスイッチ操作によって待機時間の長短調節を行えるようにしているが、便座ボックス３内にこの待機時間調節用スイッチ（例えばボリュームなど）を設置しておき、便座ボックス３に該待機時間調節用スイッチを操作するための小開口を設けておき、ドライバー等の工具を該小開口から差し込んでボリューム等の操作を行ってもよい。この小開口にはキャップを装着しておくのが好ましい。便座ボックス３のケーシングを取り外して該ボリューム等の操作を行うようにしてもよい。このように便座ボックス３内に待機時間調節用スイッチを設けておくと、悪戯等によって待機時間が変えられることが防止される。ただし、待機時間調節用スイッチは便座ボックス３の外面に設けられてもよい。この場合、スイッチを覆うカバーを設けてもよい。上記実施の形態ではケースとして便座ボックス３が便器１上に設置されているが、ケースとしてロータンクカバーが便器１の後部上面に設置され、このロータンクカバーに便蓋及び便座が起倒回動可能に取り付けられている場合にも本発明を適用できる。
【００２５】
【発明の効果】
以上の通り、本発明の便器用開閉装置によると、自動開閉式の便蓋の倒伏回動までの待機時間を便器使用者の嗜好に合わせて長短調節することができるので、待機時間を短くすることにより便蓋が閉まることを目視確認したり、あるいは暖房便座の場合、便座からの放熱を少なくすることが可能となる。また、便器使用頻度が高い場合には待機時間を長くすることにより、便蓋が頻繁に開閉して耐久年数が短くなってしまうことを防止することができる。
【図面の簡単な説明】
【図１】実施の形態に係る便器用開閉装置を備えたトイレルーム内の斜視図である。
【図２】便器用開閉装置の制御ブロック図である。
【符号の説明】
１  便器
３  便座ボックス
５  人体検知センサ
６  便蓋
７  便座
１２  リモコン
１４  便蓋スイッチ
１５  便座スイッチ
【図１】
2004180737.tif 000003
【図２】
2004180737.tif 000004